(57)【要約】      （修正有）【課題】黒板の左右のレベル調整作業を簡単容易に、しかも、安全に行うことができる昇降黒板装置を提供する。【解決手段】黒板を昇降可能に保持する固定枠体と、固定枠体に設けられているドラム６と、ドラム６の外周に一端部が止着され、他端部７ａ，８ａが黒板の下部に取り付け固定されている一対の黒板用索体７，８と、一対の黒板用索体７，８のうち、一方の黒板用索体７よりも長さの長い他方の黒板用索体８の緊張状態を維持する滑車１１と、滑車１１の位置を調整可能な位置調整手段（支持プレート１２、移動調整手段１３）と、を有してなる。【選択図】図１
2020124405.tif 000002
【特許請求の範囲】
【請求項１】
黒板を昇降可能に保持する固定枠体と、
前記固定枠体に設けられているドラムと、
前記ドラムの外周に一端部が止着され、他端部が前記黒板の下部に取り付け固定されている一対の索体と、
前記一対の索体のうち、一方の索体よりも長さの長い他方の索体の緊張状態を維持する滑車と、
前記滑車の位置を調整可能な位置調整手段と、を有してなる昇降黒板装置。
【請求項２】
前記位置調整手段は、
一端部が前記滑車に取り付けられているプレートと、
前記プレートの他端部を押圧することによって、該プレートを上下動させることが可能な押圧部と、を有してなる請求項１に記載の昇降黒板装置。
【請求項３】
前記押圧部は、
上下動可能な上下動部材と、
前記固定枠体の下部に取り付けられているボルトと、を有し、
前記上下動部材は、一端部が、前記プレートの他端部を押圧し、他端部が、前記ボルトの一端部に接触し、
前記ボルトの他端部は、前記固定枠体の下部に取り付けられてなる請求項２に記載の昇降黒板装置。
【発明の詳細な説明】
【技術分野】
【０００１】
本発明は、白板、掲示板等を含む黒板を昇降させる昇降黒板装置に関する。
【背景技術】
【０００２】
従来の昇降黒板装置として、特許文献１に記載のような昇降黒板装置が知られている。この昇降黒板装置は、黒板を昇降可能に保持する固定保持枠に取り付けられたバランススプリングにより、黒板をその重力に抗して吊り下げ保持させて、この黒板を力学的平衡により上下任意の位置で停止させるというものである。
【先行技術文献】
【特許文献】
【０００３】
【特許文献１】特開平１１−１３７３６２号公報
【発明の概要】
【発明が解決しようとする課題】
【０００４】
ところで、上記のような昇降黒板装置の強度を高めるべくバランススプリングの数を増やした際、従来と同サイズの固定保持枠で対応しようとすると、バランススプリングが接触しないように、固定保持枠の中心付近に位置するドラムをオフセットしなければならなかった。これにより、ドラムの外周に接続した二本のワイヤーの長さが不均一となることから、黒板の左右のレベル調整作業が非常に煩雑であるという問題があった。
【０００５】
すなわち、黒板の左右のレベル調整作業を行うにあたっては、二本のワイヤーの端部に固定されているボルトを調整することで、二本のワイヤーの長さを夫々、微妙に調整し、黒板の左右のレベル調整を行うこととなるが、二本のワイヤーの長さが不均一であると、その作業が非常に煩雑となり、もって、黒板の左右のレベル調整作業が非常に煩雑であるという問題があった。特に、ワイヤーが経年変化すると、黒板の左右のレベルが狂いやすくなることから、この問題が顕著に表れていた。そしてさらには、ボルトを調整する際、調整を誤ってボルトを落下させてしまうと、黒板が落下してしまうなど、黒板の左右のレベル調整作業は、非常に危険を伴うという問題があった。
【０００６】
そこで、本発明は、上記問題に鑑み、黒板の左右のレベル調整作業を簡単容易に、しかも、安全に行うことができる昇降黒板装置を提供することを目的としている。
【課題を解決するための手段】
【０００７】
上記本発明の目的は、以下の手段によって達成される。なお、括弧内は、後述する実施形態の参照符号を付したものであるが、本発明はこれに限定されるものではない。
【０００８】
請求項１の発明によれば、黒板（２）を昇降可能に保持する固定枠体（５）と、
前記固定枠体（５）に設けられているドラム（６）と、
前記ドラム（６）の外周に一端部が止着され、他端部（７ａ，８ａ）が前記黒板（２）の下部に取り付け固定されている一対の索体（黒板用索体７，８）と、
前記一対の索体（黒板用索体７，８）のうち、一方の索体（黒板用索体７）よりも長さの長い他方の索体（黒板用索体８）の緊張状態を維持する滑車（１１）と、
前記滑車（１１）の位置を調整可能な位置調整手段（支持プレート１２、移動調整手段１３）と、を有してなることを特徴としている。
【０００９】
また、請求項２の発明によれば、上記請求項１に記載の昇降黒板装置において、前記位置調整手段は、
一端部（１２ａ）が前記滑車（１１）に取り付けられているプレート（支持プレート１２）と、
前記プレート（支持プレート１２）の他端部（１２ｂ）を押圧することによって、該プレート（支持プレート１２）を上下動させることが可能な押圧部（移動調整手段１３）と、を有してなることを特徴としている。
【００１０】
さらに、請求項３の発明によれば、上記請求項２に記載の昇降黒板装置において、前記押圧部は、
上下動可能な上下動部材（スライド金具１３ａ）と、
前記固定枠体（５）の下部に取り付けられているボルト（長尺ボルト１３ｂ）と、を有し、
前記上下動部材（スライド金具１３ａ）は、一端部（上面部１３ａ２）が、前記プレート（支持プレート１２）の他端部（１２ｂ）を押圧し、他端部（下面部１３ａ１）が、前記ボルト（長尺ボルト１３ｂ）の一端部（基端部１３ｂ１）に接触し、
前記ボルト（長尺ボルト１３ｂ）の他端部（先端部１３ｂ２）は、前記固定枠体（５）の下部に取り付けられてなることを特徴としている。
【発明の効果】
【００１１】
次に、本発明の効果について、図面の参照符号を付して説明する。なお、括弧内は、後述する実施形態の参照符号を付したものであるが、本発明はこれに限定されるものではない。
【００１２】
請求項１に係る発明によれば、長さの長い他方の索体（黒板用索体８）の緊張状態を維持する滑車（１１）の位置を、位置調整手段（支持プレート１２、移動調整手段１３）を用いて位置調整すれば、滑車（１１）の位置が変動することとなり、もって、他方の索体（黒板用索体８）の位置も変動することとなる。これにより、他方の索体（黒板用索体８）の他端部（８ａ）が黒板（２）の下部に取り付け固定されていることにより、黒板（２）の下部の位置も変動することとなり、もって、黒板（２）の左右のレベル調整作業を行うことができることとなる。そしてさらには、本発明によれば、従来のように、一対の索体（黒板用索体７，８）の端部（他端部７ａ，８ａ）に固定しているボルト（７ａ１，８ａ１）をいじらずとも、黒板（２）の左右のレベル調整作業を行うことができることとなるため、黒板（２）が落下してしまうなどの危険性が無い。
【００１３】
しかして、本発明によれば、滑車（１１）の位置を、位置調整手段（支持プレート１２、移動調整手段１３）を用いて位置調整するだけで、黒板（２）の左右のレベル調整作業を行うことができることとなるから、黒板の左右のレベル調整作業を簡単容易に、しかも、安全に行うことができる。
【００１４】
また、請求項２に係る発明によれば、位置調整手段は、一端部（１２ａ）が滑車（１１）に取り付けられているプレート（支持プレート１２）と、プレート（支持プレート１２）の他端部（１２ｂ）を押圧することによって、該プレート（支持プレート１２）を上下動させることが可能な押圧部（移動調整手段１３）とを有しているから、滑車（１１）にプレート（支持プレート１２）の一端部（１２ａ）を取り付け、プレート（支持プレート１２）の他端部（１２ｂ）を、押圧部（移動調整手段１３）を用いて押圧するだけで、プレート（支持プレート１２）を上下動させることができ、もって、滑車（１１）の位置を変動させることができる。これにより、簡単容易に、滑車（１１）の位置を調整することが可能となる。
【００１５】
さらに、請求項３に係る発明によれば、上下動部材（スライド金具１３ａ）は、一端部（上面部１３ａ２）が、プレート（支持プレート１２）の他端部（１２ｂ）を押圧し、他端部（下面部１３ａ１）が、ボルト（長尺ボルト１３ｂ）の一端部（基端部１３ｂ１）に接触し、ボルト（長尺ボルト１３ｂ）の他端部（先端部１３ｂ２）は、固定枠体（５）の下部に取り付けられているから、確実に、プレート（支持プレート１２）を上下動させることができる。
【図面の簡単な説明】
【００１６】
【図１】本発明の一実施形態に係る昇降黒板装置のうち、黒板の上フレームと下フレームとを残した状態で黒板を取り外した状態を示すと共に、主に固定枠体の内部構造を示す正面図である。
【図２】同実施形態に係る昇降黒板装置の固定枠体が壁面に取り付けられた状態を示す側面図である。
【図３】図１の一部拡大図である。
【図４】（ａ）は、同実施形態に係るスライド金具が支持フレームに取り付けられている状態の平面図、（ｂ）は、同実施形態に係るスライド金具が支持フレームに取り付けられ、同実施形態に係る長尺ボルトの基端部がスライド金具に接触し、先端部が固定枠体の下フレームに取り付けられている状態の正面図、（ｃ）は、（ｂ）の側面図である。
【発明を実施するための形態】
【００１７】
以下、本発明に係る昇降黒板装置の一実施形態を、図面を参照して具体的に説明する。なお、以下の説明において、上下左右の方向を示す場合は、図示正面から見た場合の上下左右をいうものとする。
【００１８】
昇降黒板装置１は、図２に示す黒板２を、実線と仮想線で示す上昇限位置と下降限位置との間で昇降できるようになっている。この黒板２は、図１及び図２に示すように、黒板上フレーム２ａと、黒板下フレーム２ｂと、を有し、図２に示すように、黒板上フレーム２ａと、黒板下フレーム２ｂに、図示しないビス等によって、下部に粉受け２ｃ１を備えた黒板本体２ｃが取り付けられているものである。この黒板上フレーム２ａと、黒板下フレーム２ｂには、図１に示すように、黒板上フレーム２ａ、黒板下フレーム２ｂに亘って、その両端部に昇降ガイド支柱３，４が取り付けられている。そして、この昇降ガイド支柱３，４は、固定枠体５に設けられている図示しないガイド孔を貫通して設けられている。これにより、黒板２は、固定枠体５に保持されて昇降自在となっている。
【００１９】
固定枠体５は、図２に示すように、建物壁面Ｗに図示しないビス等によって取付け固定されており、図１に示すように、中央部よりやや右側にオフセットした位置に、ドラム６が設けられている。このドラム６は、図３に示すように、円板状ドラム６０と、カム状ドラム６１と、ブレーキドラム６２とで構成されている。この円板状ドラム６０と、カム状ドラム６１と、ブレーキドラム６２とは、黒板２の面と直交する回転軸６ａに、同心状に一体回転可能にして且つ軸方向に順次ずらして固定されている。なお、この回転軸６ａは、図３に示すように、固定枠体５に設けられている固定枠体上フレーム５ａと、固定枠体下フレーム５ｂとに亘ってビス５０ａにて固定されている支持フレーム５０に、回転可能にボルト５０ｂによって固定されているものである。
【００２０】
一方、円板状ドラム６０の外周面には、図１及び図３に示すように、その点対称位置に、ワイヤー等からなる一対の黒板用索体７，８の夫々の一端部が止着され、当該一端部側が円板状ドラム６０の外周面に互いに同じ方向に巻き付けられるようになっている。そして、図１及び図３に示すように、一対の黒板用索体７，８の夫々の他端部７ａ，８ａは、固定枠体５の左右両端部付近に軸支されたガイドプーリ９，１０を経由して下方に延出され、黒板下フレーム２ｂにボルト７ａ１，８ａ１にて固定されている。これにより、円板状ドラム６０が図３の矢印Ｙ１に示す方向（反時計方向）に回転すれば、一対の黒板用索体７，８は夫々下方に向かって引き出され、もって、黒板２は、下降方向に動作することとなる。
【００２１】
ところで、一対の黒板用索体７，８のうち、固定枠体５の中央部よりやや右側にオフセットした位置にドラム６が設けられている関係上、図１に示すように、右側に位置する黒板用索体７に比べ、左側に位置する黒板用索体８の長さが長くなっている。それゆえ、左側に位置する黒板用索体８が弛緩せず緊張状態が維持できるように、左側に位置する黒板用索体８の他端部８ａは、ガイドプーリ１０を経由する前に、滑車１１を経由するようになっている。この滑車１１は、図３に示すように、矩形状の支持プレート１２に取付け固定されることによって、ドラム６の外周面に沿って移動できるようになっている。具体的には、支持プレート１２の一端部１２ａがボルト１２ａ１によって、滑車１１に取り付け固定され、支持プレート１２の他端部１２ｂが支持フレーム５０に、回転可能にボルト５０ｂによって固定されている。これにより、ボルト５０ｂを基点として、支持プレート１２が回転移動することに伴い、滑車１１が移動することとなり、もって、滑車１１がドラム６の外周面に沿って移動できるようになる。
【００２２】
ところで、この滑車１１の移動は、図１及び図３に示す移動調整手段１３によって調整されるようになっている。より具体的に説明すると、この移動調整手段１３は、図３に示すように、支持プレート１２の他端部１２ｂの下側に設けられ、スライド金具１３ａと、長尺ボルト１３ｂとで主に構成されている。このスライド金具１３ａは、図４（ａ）に示すように、平面視略コ字状に形成され、図４（ａ），（ｂ）に示すように、支持フレーム５０を抱くように取り付けられている。そして、このように支持フレーム５０に取り付けられたスライド金具１３ａは、図４（ｂ）に示すように、支持フレーム５０の上下方向（矢印Ｙ２方向）をスライド自在に移動できるようになっている。
【００２３】
一方、長尺ボルト１３ｂは、六角ボルト等からなるもので、図４（ｂ），（ｃ）に示すように、固定枠体下フレーム５ｂに取り付け固定されているナット１３ｃ及びタッププレート１３ｄに螺合することで、基端部１３ｂ１がスライド金具１３ａの下面部１３ａ１に接触する位置に固定されることとなる。
【００２４】
しかして、このようにすれば、図３及び図４（ｂ），（ｃ）に示す長尺ボルト１３ｂの先端部１３ｂ２を操作し、長尺ボルト１３ｂを押し上げる方向（図３に示す上方向に位置する破線で示す先端部１３ｂ２参照）に螺合することにより、スライド金具１３ａの下面部１３ａ１に接触している長尺ボルト１３ｂの基端部１３ｂ１がスライド金具１３ａを押し上げることとなる。これにより、図３に示すように、スライド金具１３ａが支持フレーム５０の上方向（図３に示す実線位置から、その実線位置の上方向に示す破線位置参照）にスライドすることとなる。
【００２５】
一方、図３及び図４（ｂ），（ｃ）に示す長尺ボルト１３ｂの先端部１３ｂ２を操作し、長尺ボルト１３ｂを押し下げる方向（図３に示す下方向に位置する破線で示す先端部１３ｂ２参照）に螺合することにより、スライド金具１３ａの下面部１３ａ１に接触している長尺ボルト１３ｂの基端部１３ｂ１が、下方に下がることとなる。これに伴い、長尺ボルト１３ｂに支えられているスライド金具１３ａは、長尺ボルト１３ｂが下方に下がるのに追従して、下方に下がることとなる。これにより、図３に示すように、スライド金具１３ａが支持フレーム５０の下方向（図３に示す実線位置から、その実線位置の下方向に示す破線位置参照）にスライドすることとなる。
【００２６】
かくして、このような動作を行うスライド金具１３ａの上面部１３ａ２に、図３に示すように、支持プレート１２の他端部１２ｂを、スライド金具１３ａの上面部１３ａ２に接触するように配置すれば、スライド金具１３ａが支持フレーム５０の上方向（図３に示す実線位置から、その実線位置の上方向に示す破線位置参照）にスライドすることにより、支持プレート１２の他端部１２ｂが押し上げられる方向（図３に示す実線位置から、その実線位置の上方向に示す破線位置参照）に移動することとなる。これにより、支持プレート１２の一端部１２ａに取り付け固定されている滑車１１は、下方向（図３に示す実線位置から、その実線位置の下方向に示す破線位置参照）に移動することとなる。
【００２７】
一方、スライド金具１３ａが支持フレーム５０の下方向（図３に示す実線位置から、その実線位置の下方向に示す破線位置参照）にスライドすれば、支持プレート１２の他端部１２ｂが押し下げられる方向（図３に示す実線位置から、その実線位置の下方向に示す破線位置参照）に移動することとなる。これにより、支持プレート１２の一端部１２ａに取り付け固定されている滑車１１は、上方向（図３に示す実線位置から、その実線位置の上方向に示す破線位置参照）に移動することとなる。
【００２８】
しかして、このようにすれば、滑車１１の移動は、移動調整手段１３によって調整することができることとなる。しかるに、滑車１１の移動を、移動調整手段１３によって調整するようにすれば、黒板用索体８が弛緩せず緊張状態が維持できるように滑車１１を経由している黒板用索体８（図３参照）は、滑車１１が下方向（図３に示す実線位置から、その実線位置の下方向に示す破線位置参照）に移動すれば、下方向に移動（図３に示す実線位置から、その実線位置の下方向に示す破線位置参照）することとなるから、黒板用索体８の他端部８ａ（図１参照）は、上方向に移動することとなる。一方、滑車１１が上方向（図３に示す実線位置から、その実線位置の上方向に示す破線位置参照）に移動すれば、黒板用索体８（図３参照）は、上方向に移動（図３に示す実線位置から、その実線位置の上方向に示す破線位置参照）することとなるから、黒板用索体８の他端部８ａ（図１参照）は、下方向に移動することとなる。これにより、黒板用索体８の他端部８ａが下方向に移動すれば、黒板２は左側に傾くように移動し、黒板用索体８の他端部８ａが上方向に移動すれば、黒板２は右側に傾くように移動することとなる。
【００２９】
しかして、本実施形態によれば、図３及び図４（ｂ），（ｃ）に示す長尺ボルト１３ｂの先端部１３ｂ２を操作して、黒板用索体８の他端部８ａを下方向に移動させることで、黒板２を左側に傾くように移動させ、さらに、黒板用索体８の他端部８ａを上方向に移動させることで、黒板２を右側に傾くように移動させることができるため、黒板２の左右のレベル調整作業を簡単容易に行うことができる。すなわち、黒板用索体７，８の経年変化等により、黒板２の左右のレベルが狂い、例えば、黒板２が左側に傾いていた場合、黒板２の左右のレベルを調整するため、黒板２が右側に傾くように、黒板用索体８の他端部８ａを上方向に移動させるように、図３及び図４（ｂ），（ｃ）に示す長尺ボルト１３ｂの先端部１３ｂ２を操作すれば良い。しかして、本実施形態によれば、従来のように、黒板用索体７，８の他端部７ａ，８ａに固定されているボルト７ａ１，８ａ１を夫々調整する必要がなく、図３及び図４（ｂ），（ｃ）に示す長尺ボルト１３ｂの先端部１３ｂ２を操作するだけで良いため、黒板２の左右のレベル調整作業を簡単容易に行うことができることとなる。そしてさらには、黒板用索体７，８の他端部７ａ，８ａに固定されているボルト７ａ１，８ａ１をいじることなく、黒板２の左右のレベル調整作業を行うことができるため、黒板が落下してしまうなどの危険性が無い。よって、本実施形態によれば、黒板２の左右のレベル調整作業を安全に行うこともできる。
【００３０】
ところで、カム状ドラム６１の外周には、図１及び図３に示すように、チェーン等からなるカム用索体１４の一端部が止着されて、当該一端部側が黒板用索体７，８とは逆方向に巻き付けられるようになっている。そして、カム用索体１４の他端部１４ａは、支持フレーム５０に軸支されたスプロケット１５を経由して、スプリング取付板１６に連結されている。
【００３１】
このカム用索体１４の他端部１４ａが連結されるスプリング取付板１６と、これに対向する他方のスプリング取付板１７との間には、複数個（図示では、５個）のバランススプリング１８ａ〜１８ｅが並行して取り付けられている。そして、他方側のスプリング取付板１７には、枠体用索体１９の一端部が固着され、この枠体用索体１９の他端部は、固定枠体５の左端部付近に軸支されたガイドプーリ２０を経由して、固定枠体下フレーム５ｂに連結されている。
【００３２】
しかして、黒板２を下降させるに伴って回転する円板状ドラム６０によって順次増大するバランススプリング１８ａ〜１８ｅの付勢力によるカム状ドラム６１の回転トルクが、黒板２の重量による円板状ドラム６０の回転トルクと常に一致するように、カム状ドラム６１のカム面を半径方向で順次小さくなるように形成する。これにより、黒板２をその重力に抗するバランススプリング１８ａ〜１８ｅの付勢力によって吊り下げ保持して力学的平衡を得て、上下任意の位置に停止可能とすると共に、その停止位置でブレーキドラム６２によって規制され、その停止状態が維持されるようになっている。
【００３３】
すなわち、カム用索体１４側のスプリング取付板１６と、枠体用索体１９側のスプリング取付板１７とに亘って夫々に取り付けられる複数個（図示では５個）のバランススプリング１８ａ〜１８ｅの合計の付勢力は、黒板２の重量と力学的平衡を得る付勢力に調整されているのである。
【００３４】
一方、ブレーキドラム６２には、図３に示すように、その外周にブレーキバンド６２ａが取り付けられ、その一端部にブレーキばね２１とブレーキ解除テコ２２が取り付けられている。このブレーキ解除テコ２２は、プッシュプル操作紐２３にその一端部２３ａが固着され、このプッシュプル操作紐２３の他端部２３ｂ（図２参照）は、黒板下フレーム２ｂの中央部分（図１参照）に取り付けられているブレーキ解除レバー２４に連結されている。
【００３５】
したがって、常時はブレーキばね２１の付勢力によるブレーキバンド６２ａの摩擦力によって円板状ドラム６０の回転が規制されて黒板２の上下動が規制される。そして、ブレーキ解除レバー２４の解除操作によって、プッシュプル操作紐２３を介して伝達されるブレーキ解除テコ２２が軸２２ａ(図３参照)を中心にブレーキばね２１の付勢力に抗する方向にブレーキバンド６２ａを弛緩移動させる。これにより、ブレーキを解除して円板状ドラム６０の回転を自由にし、もって、これに連動する黒板２は、バランススプリング１８ａ〜１８ｅによる力学的平衡を保って、固定枠体５に設けられている図示しないガイド孔を貫通して設けられている昇降ガイド支柱３，４に案内されて軽く上下動することができることとなる。
【００３６】
かくして、上記のように構成される昇降黒板装置１は、上記のようにして、図２に示す黒板２を、実線と仮想線で示す上昇限位置と下降限位置との間で昇降させることができることとなる。なお、図１に示すように、昇降ガイド支柱３，４の上端部及び下端部には、夫々、黒板２を昇降させた際、黒板上フレーム２ａ、又は、黒板下フレーム２ｂが固定枠体５に直接接触しないようにするクッション材の役割を行うバネ２５が取り付けられている。
【００３７】
しかして、本実施形態によれば、長さの長い黒板用索体８の緊張状態を維持する滑車１１の位置を、図３及び図４（ｂ），（ｃ）に示す長尺ボルト１３ｂの先端部１３ｂ２を操作するだけで、調整することができる。それゆえ、黒板２の左右のレベル調整作業を簡単容易に行うことができる。そしてさらに、黒板用索体７，８の他端部７ａ，８ａに固定されているボルト７ａ１，８ａ１をいじることなく、黒板２の左右のレベル調整作業を行うことができるため、黒板が落下してしまうなどの危険性が無い。よって、本実施形態によれば、黒板２の左右のレベル調整作業を安全に行うこともできる。
【００３８】
なお、本実施形態において示した昇降黒板装置１は、あくまで一例であり、特許請求の範囲に記載された本発明の要旨の範囲内において種々の変形・変更が可能である。例えば、長さの長い黒板用索体８の緊張状態を維持する滑車１１の位置を調整できる方法としては、本実施形態で示した方法に限らず、どのような方法を用いても良い。しかしながら、滑車１１に支持プレート１２の一端部１２ａを取り付け、支持プレート１２の他端部１２ｂを押し上げ、又は、押し下げることにより、支持プレート１２を上下動させることで、滑車１１の位置を調整した方が、滑車１１の位置を簡単容易に調整することができるため、好ましい。
【００３９】
また、本実施形態においては、支持プレート１２を上下動させるにあたって、スライド金具１３ａを、長尺ボルト１３ｂを用いて上下動させることにより、支持プレート１２を上下動させるようにしたが、それに限らず、長尺ボルト１３ｂで直接支持プレート１２を上下動させるようにしても良い。しかしながら、スライド金具１３ａを、長尺ボルト１３ｂを用いて上下動させることにより、支持プレート１２を上下動させるようにした方が、確実に、支持プレート１２を上下動させることができるため、好ましい。
【符号の説明】
【００４０】
１          昇降黒板装置
２          黒板
５          固定枠体
６          ドラム
７          黒板用索体（一方の索体）
８          黒板用索体（他方の索体）
７ａ，８ａ  （黒板用索体の）他端部
１１        滑車
１２        支持プレート（プレート、位置調整手段）
１２ａ      （支持プレートの）一端部
１２ｂ      （支持プレートの）他端部
１３        移動調整手段（位置調整手段、押圧部）
１３ａ      スライド金具（上下動部材）
１３ａ１    （スライド金具の）下面部（上下動部材の他端部）
１３ａ２    （スライド金具の）上面部（上下動部材の一端部）
１３ｂ      長尺ボルト（ボルト）
１３ｂ１    （長尺ボルトの）基端部（ボルトの一端部）
１３ｂ２    （長尺ボルトの）先端部（ボルトの他端部）
【図１】
2020124405.tif 000003
【図２】
2020124405.tif 000004
【図３】
2020124405.tif 000005
【図４】
2020124405.tif 000006